(57)【要約】【課題】デザイン性、施工性に優れた天井用換気扇を提供する。【解決手段】本天井用換気扇は、下面に吸気開口２、側面または上面に排気開口３が設けられ、かつ送風機５が収容され、室内側より天井１０の開口部縁１１に取付けられた換気扇本体４と、吸気開口２を覆うように取付けられた本体カバー６を有する天井用換気扇において、換気扇本体４は、換気扇本体４側面下方に複数の取付孔７が設けられ、この取付孔７に挿入された筒状のスペーサ８を貫通する取付ネジ９により天井１９の開口部縁１１に取付けられる。【選択図】  図１
2005048986.tif 000002
【特許請求の範囲】
【請求項１】
下面に吸気開口、側面又は上面に排気開口が設けられ、かつ送風機が収容され、室内側より天井の開口部縁に取付けられた換気扇本体と、前記吸気開口を覆うように取付けられた本体カバーを有する天井用換気扇において、前記換気扇本体は、前記換気扇本体側面下方に複数の取付孔が設けられ、この取付孔に挿入された筒状のスペーサを貫通する取付ネジにより前記天井の開口部縁に取付けられたことを特徴とする天井用換気扇。
【請求項２】
前記取付ネジによる天井の開口部縁への取付けのうち、少なくとも１箇所は、前記取付孔に直接取付ネジにより行われることを特徴とする請求項１記載の天井用換気扇。
【請求項３】
前記本体枠側面下方に設けられた複数の取付孔は、内側に突出するバーリング孔であることを特徴とする請求項１または２に記載の天井用換気扇。
【発明の詳細な説明】
【０００１】
【発明の属する技術分野】
本発明は天井用換気扇に係わり、特に天井への取付構造を改良した天井用換気扇に関する。
【０００２】
【従来の技術】
従来の、天井用換気扇の天井への取付けは、例えば、特許文献１の図２に示すように、天井用換気扇の換気扇本体枠を天井の開口縁に取付ける構造として、換気扇本体枠下端の幅広フランジに設けられた取付孔に下方よリ取付ネジを貫通させた後、野縁に螺合させて締付け固定するものがあり、また、特許文献１の図１に示すように、天井用換気扇の本体カバーである吸込みグリルを小さくしてデザイン性を向上させるには、換気扇取付用の野縁に直接上記のような方法で換気扇本体枠を取付け、その後幅広フランジを覆うように天井板を貼って、吸込みグリルで覆う面積を最小にするというように、施工の順序で対応する構造がある。
【０００３】
しかしながら、従来の天井用換気扇の取付構造は、特許文献１の図２に示す構造においては、本体カバーである吸込みグリルにより換気扇本体枠下端の幅広フランジを覆う必要があるため、吸込みグリル７が大きくなり、デザイン性が失われ、また、特許文献１の図１に示す構造において、天井板を貼った後の換気扇施工が不可能であり、施工順序に制約をうける等の問題があった。
【０００４】
【特許文献１】
特開２００１−２４８８７３号公報（段落［００１１］、［００１３］、図１、図２）
【０００５】
【発明が解決しようとする課題】
本発明は上述した事情を考慮してなされたもので、デザイン性、施工性に優れた天井用換気扇を提供することを目的とする。
【０００６】
【課題を解決するための手段】
上記目的を達成するため、本発明の１つの態様によれば、下面に吸気開口、側面または上面に排気開口が設けられ、かつ送風機が収容され、室内側より天井の開口部縁に取付けられた換気扇本体と、前記吸気開口を覆うように取付けられた本体カバーを有する天井用換気扇において、前記換気扇本体は、前記換気扇本体側面下方に複数の取付孔が設けられ、この取付孔に挿入された筒状のスペーサを貫通する取付ネジにより前記天井の開口部縁に取付けられたことを特徴とする天井用換気扇が提供される。これにより、デザイン性、施工性に優れた天井用換気扇が実現される。
【０００７】
【発明の実施の形態】
以下、本発明に係わる天井用換気扇の一実施形態について添付図面を参照して説明する。
【０００８】
図１は本発明に係わる天井用換気扇の縦断面図である。
【０００９】
図１に示すように、本発明に係わる天井用換気扇１は、下面に吸気開口２、例えば側面に排気開口３が設けられた換気扇本体４と、この換気扇本体４に収容された送風機５と、吸気開口２を覆うように取付けられた本体カバー６を有している。
【００１０】
図１及び図２に示すように、換気扇本体４の側面下方に複数の取付孔７が穿設され、この取付孔７に挿入された筒状例えば円筒形状のスペーサ８を介して取付ネジ９により、換気扇本体４は、天井１０の開口部縁１１に取付けられている。取付孔へのスペーサの挿入状態は、遊挿でなく打入れ嵌挿であるのが好ましく、これにより、換気扇本体のガタつきのない取付けが可能となる。
【００１１】
この換気扇本体４の取付構造は、取付孔７及びスペーサ８を貫通する取付ネジ９が、開口部縁１１と同一開口面積の開口１２ａが形成されるように開口部縁１１の周囲に設けられた野縁１２に、螺子孔を形成しながら螺合され、スペーサ８の一端８ａが取付ネジ９の頭部９ａに当接し、他端８ｂが野縁１２に当接するようになっており、換気扇本体４が野縁１２にガタつきなく取付けられている。
【００１２】
なお、図３に示すように、換気扇本体４の下端全周に幅狭例えば幅１５ｍｍのフランジ４ｆを設けることにより、天井板１０の開口寸法が大きい場合でも、換気扇本体４と野縁１２の間に生じる隙間を遮蔽でき、また、換気扇本体４を野縁１２に挿入する際、フランジ４ｆが天井板１０に突当リ、上下方向の位置、及び水平性が決まり易く施工性が向上する。
【００１３】
次に本発明に係わる天井用換気扇の取付方法について説明する。
【００１４】
図４に示すように、開口１２ａが設けられた野縁１２を、天井下地材が取付けられる前か、あるいは下地材が既に取付けられている場合には開口を明けた後天井１０に取付ける。
【００１５】
図５に示すように、野縁１２の開口１２ａから、換気扇本体４を挿入し、図６に示すように、換気扇本体４下端部と開口１２ａ下端を一致させ、スペーサ８を取付孔７に挿入し、しかる後、取付ネジ９をスペーサ８に挿入し、ドライバーにより取付ネジ９を回し、野縁１２に螺子孔を形成しながら螺合し、換気扇本体４を野縁１２に螺着し、換気扇本体４を天井１０に取付ける。さらに、吸気開口２を覆うように本体カバー６を天井１０に取付けて天井用換気扇の取付けは完了する。
【００１６】
上記取付過程において、換気扇本体４の取付孔７に挿入されたスペーサ８を貫通した取付ネジ９により、換気扇本体４が野縁１２に取付けられるため、従来必要とされるような下方からネジで取付けるための幅広いフランジを換気扇本体の下端に設ける必要がない。また、幅広いフランジがないため、取付作業は、天井板を貼る前でも、後でも容易に対応可能である。さらに、野縁寸法のバラツキが大きい場合でも、スペーサ８を介して取付ネジ９で締付けているため、換気扇本体４と野縁１２間の隙間は適切に調整され、換気扇本体４の変形が防止される。
【００１７】
なお、図７に示すように、換気扇本体４の側面下方に設けられた複数の取付孔７の上方に、仮止め用の取付ボルト９ｖ及び取付ボルト９ｖが螺合するカーリングナット９ｎを２箇所以上設けることにより、取付ボルト９ｖを手で締付けてその先端を換気扇本体４より外に突出させ、野縁１２に乗せることで、換気扇本体４を仮止めすることができ、取付ネジ９をドライバーで締付ける際に、換気扇本体４を支える必要がなく、取付作業が容易になる。また、２箇所以上の取付ボルト９ｖが野縁１２に乗ることにより、上下方向の位置が決まり、さらに施工性が向上する。
【００１８】
従って、上記のように本実施例によれば、幅広フランジが設けられていないのでこれを覆う必要がなく、本体カバーをコンパクトにすることが可能となって、デザイン性が向上し、施工順序に制約をうけず、施工性が向上する。さらに、換気扇本体の変形がなく、送風機性能が向上する。
【００１９】
また、換気扇本体を取付けるための他の取付構造について説明する。
【００２０】
図２に示す上記取付構造が取付孔に挿入されたスペーサを介して取付ネジにより行われるのに対して、本取付構造は、少なくとも１箇所は取付孔を直接貫通する取付ネジにより行われる。
【００２１】
例えば、図８に示すように、換気扇本体４Ａ側面下方には、一面に２箇所の取付孔７Ａａと、その対向面に２箇所の取付孔７Ａｂが設けられ、取付孔７Ａａを直接貫通する取付ネジ４Ａａにより、換気扇本体４Ａは天井１０Ａに設けられた野縁１２Ａに取付けられ、取付孔７Ａｂに挿入されたスペーサ８Ａを貫通する取付ネジ４Ａｂにより換気扇本体４Ａは野縁１２Ａに取付けられている。従って、換気扇本体と野縁間の隙間は適切に調整されて、換気扇本体の変形が防止されると共に、換気扇本体の一面が確実に野縁に固着され、換気扇運転時の振動が防止される。他の構成は図１に示す天井用換気扇と異ならないので、同一符号を付して説明は省略する。
【００２２】
さらに、換気扇本体を取付けるための他の取付構造について説明する。
【００２３】
図２に示す上記取付構造が換気扇本体に穿設された取付孔を用いるのに対して、本取付構造は、取付孔を内側に突出するバーリング孔を用いる。
【００２４】
例えば、図９に示すように、換気扇本体４Ｂ側面下方に設けられた複数の取付孔７Ｂは、内側に突出するバーリング孔である。従って、挿入されるスペーサ８Ａが水平に安定しやすく、そのため取付ネジ４Ｂを水平に締め易く、施工性が向上する。
【００２５】
【発明の効果】
本発明に係わる天井用換気扇によれば、デザイン性、施工性に優れた天井用換気扇を提供することができる。
【図面の簡単な説明】
【図１】本発明に係わる天井用換気扇の一実施形態の縦断面図。
【図２】図１のＡ部を拡大して示す断面図。
【図３】図１のＡ部の他の構造を示す断面図。
【図４】本発明に係わる天井用換気扇の取付けに用いられる野縁の斜視図。
【図５】本発明に係わる換気扇本体の取付状態を示す説明図。
【図６】本発明に係わる換気扇本体の取付状態を示す説明図。
【図７】本発明に係わる換気扇本体の他の取付状態を示す縦断面図。
【図８】本発明に係わる天井用換気扇の他の実施形態の縦断面図。
【図９】本発明に係わる天井用換気扇の他の実施形態の縦断面図。
【符号の説明】
１…天井用換気扇、２…吸気開口、３…排気開口、４…換気扇本体、５…送風機、６…本体カバー、７…取付孔、８…スペーサ、９…取付ネジ、１０…天井、１１…開口部縁、１２…野縁。
【図１】
2005048986.tif 000003
【図２】
2005048986.tif 000004
【図３】
2005048986.tif 000005
【図４】
2005048986.tif 000006
【図５】
2005048986.tif 000007
【図６】
2005048986.tif 000008
【図７】
2005048986.tif 000009
【図８】
2005048986.tif 000010
【図９】
2005048986.tif 000011